(57)【特許請求の範囲】
【請求項１】
鉄筋コンクリート構築物を形成する無垢の木の化粧打込み壁型枠や鉄骨梁等の上に、鉄筋コンクリートスラブを形成する連結部両側面に溝加工して成る無垢の木の化粧打込みスラブ型枠に於いて、該無垢の木の化粧打込みスラブ型枠に設けた連結部の溝に、多目的に利用する打抜き穴を設けた鋼板の上下を曲げ加工して成る単体型枠支持部材、該単体型枠支持部材を２枚合わせて固定した複体型枠支持部材の曲げ加工部分を差込みつつ、無垢の木の化粧打込みスラブ型枠を連結敷設して、スラブ配筋を完了させた後に、コンクリートを打設して、該コンクリートの凝固によって、無垢の木の化粧打込みスラブ型枠の鉄筋コンクリートスラブを形成することを特徴とするスラブ内の型枠支持部材。
【請求項２】
鉄筋コンクリート構築物を形成する無垢の木の化粧打込み壁型枠の上に、鉄筋コンクリートスラブを形成する連結部両側面に溝加工して成る無垢の木の化粧打込みスラブ型枠に於いて、該無垢の木の化粧打込みスラブ型枠に設けた連結部の溝に、前記複体型枠支持部材の曲げ加工部分を差込みつつ、無垢の木の化粧打込みスラブ型枠を連結敷設して、スラブ配筋を完了させた後に、コンクリートを打設して、該コンクリートの凝固によって、無垢の木の化粧打込みスラブ型枠の鉄筋コンクリートスラブを形成することを特徴とする請求項１に記載のスラブ内の型枠支持部材。
【請求項３】
無垢の木の化粧打込みスラブ型枠に設けた連結部の溝に、複体型枠支持部材の曲げ加工部分を差込みつつ、連結敷設した複数の打込み型枠の連結固定を、複体型枠支持部材に設けている打抜き穴の型枠固定部分の形状を若干狭く絞った打抜き部分に連結鉄筋を圧挿入して連結固定することを特徴とする請求項１又は２に記載のスラブ内の型枠支持部材。
【請求項４】
鉄筋コンクリート構築物を形成する無垢の木の化粧打込み壁型枠の上に、鉄筋コンクリートスラブを形成する連結部両側面に溝加工して成る無垢の木の化粧打込みスラブ型枠に於いて、該無垢の木の化粧打込みスラブ型枠に設けた連結部の溝に、複体型枠支持部材の曲げ加工部分を差込みつつ、無垢の木の化粧打込みスラブ型枠を連結敷設して、スラブ配筋を完了させた後に、複体型枠支持部材の上部の曲げ加工部分に複数の防振束を固定して、該防振束に根太を取付けてコンクリートを打設して、該コンクリートの凝固によって、無垢の木の化粧打込みスラブ型枠の鉄筋コンクリートスラブを形成することを特徴とする請求項１〜３の何れか１項に記載のスラブ内の型枠支持部材。
【発明の詳細な説明】
【技術分野】
【０００１】
本発明は、鉄筋コンクリートスラブを形成するスラブ型枠を支えるスラブ内の型枠支持部材に関する。
【背景技術】
【０００２】
従来、鉄筋コンクリート構築物等のスラブ型枠を構築する場合、膨大な鋼管ポストを林立配置して、バタ角、鋼管等を用いて根太組をなし、ベニヤ型枠を敷設してスラブ型枠組を形成して、スラブの上下調整は鋼管ポストのジャッキで上下させて調整をしている。
【０００３】
この、林立配置した鋼管ポストの中での水平機の操作は困難で、スラブの上下調整は正確性を欠いている。しかも、壁、スラブの型枠が建て込まれた室内は暗く水平機の操作をより困難にしている。
【０００４】
さらに、大量の鋼管ポスト、バタ角、鋼管等仮設材の搬入や搬出は重労働である。しかも、大量の鋼管ポスト、バタ角、鋼管等を用いてのスラブの型枠組は、熟練した技能を必要としていると共にスラブ型枠の解体は危険を伴っている。
【０００５】
また、鋼管ポストを使用しない工法として、長さの調整が可能なペコビームなどが使用されているが、それら仮設梁の機能は、仮設梁を架ける梁の間隔に合わせて長さを調整する機能と、荷重を支えるだけの機能である。
【先行技術文献】
【特許文献】
【０００６】
【特許文献１】無し
【０００７】
【非特許文献１】無し
【発明の開示】
【発明が解決しようとする課題】
【０００８】
従来の鉄筋コンクリートスラブを形成する型枠を支える方法には次の問題があった。
・軽量化するために成形または加工したものであるが、重量や体積が大きくなり運搬コストも収納スペースも多大である。
・スラブ型枠の仮設梁として使用した場合など、長さを調節する機能と荷重を支える機能はあるが、スラブ型枠のレベルを調節することができない。
・スラブ型枠の仮設梁として使用した場合など、仮設梁の重量や体積が大きいため組み解体がコスト高となる。
・他方、 従来の鋼管ポストを利用した場合の、スラブ型枠のレベル調整は、林立する個々の鋼管ポストでレベルの調整をすることは可能であるが、林立する鋼管ポストの中でレベルを見るのは困難である。
【０００９】
また、従来の鉄筋コンクリートスラブを形成する型枠を支える方法は、大半が解体することを目的としたもので、大量の仮設材と組み手間・養生工期・解体・運搬・手入れ・保管等、鉄筋コンクリート構築物を構築する上で最も改善しなければならない課題があった。
【００１０】
本発明は、上記の課題に鑑みて、打込み型枠を型枠支持部材の下弦材として活用し、さらに、コンクリートスラブ厚を活用して型枠支持部材の高さを確保して、上弦材もスラブ配筋を活用して型枠支持部材の座屈が軽減できて、仮設材やスラブ型枠を上下させる調整をも必要としない工法の型枠支持部材を提供するものである。
【課題を解決するための手段】
【００１１】
この発明は、上記の課題を解決するためになされたもので、鉄筋コンクリート構築物を形成する無垢の木の化粧打込み壁型枠や鉄骨梁等の上に、鉄筋コンクリートスラブを形成する連結部両側面に溝加工して成る無垢の木の化粧打込みスラブ型枠に於いて、該無垢の木の化粧打込みスラブ型枠に設けた連結部の溝に、多目的に利用する打抜き穴を設けた鋼板の上下を曲げ加工して成る単体型枠支持部材、該単体型枠支持部材を２枚合わせて固定した複体型枠支持部材の曲げ加工部分を差込みつつ、無垢の木の化粧打込みスラブ型枠を連結敷設して、スラブ配筋を完了させた後に、コンクリートを打設して、該コンクリートの凝固によって、無垢の木の化粧打込みスラブ型枠の鉄筋コンクリートスラブを形成することを特徴とするスラブ内の型枠支持部材（請求項１）を提供する。
【００１２】
鉄筋コンクリート構築物を形成する無垢の木の化粧打込み壁型枠の上に、鉄筋コンクリートスラブを形成する連結部両側面に溝加工して成る無垢の木の化粧打込みスラブ型枠に於いて、該無垢の木の化粧打込みスラブ型枠に設けた連結部の溝に、前記複体型枠支持部材の曲げ加工部分を差込みつつ、無垢の木の化粧打込みスラブ型枠を連結敷設して、スラブ配筋を完了させた後に、コンクリートを打設して、該コンクリートの凝固によって、無垢の木の化粧打込みスラブ型枠の鉄筋コンクリートスラブを形成することを特徴とする請求項１に記載のスラブ内の型枠支持部材（請求項２）を提供する。
【００１３】
無垢の木の化粧打込みスラブ型枠に設けた連結部の溝に、複体型枠支持部材の曲げ加工部分を差込みつつ、連結敷設した複数の打込み型枠の連結固定を、複体型枠支持部材に設けている打抜き穴の型枠固定部分の形状を若干狭く絞った打抜き部分に連結鉄筋を圧挿入して連結固定することを特徴とする請求項１又は２に記載のスラブ内の型枠支持部材（請求項３）を提供する。
【００１４】
鉄筋コンクリート構築物を形成する無垢の木の化粧打込み壁型枠の上に、鉄筋コンクリートスラブを形成する連結部両側面に溝加工して成る無垢の木の化粧打込みスラブ型枠に於いて、該無垢の木の化粧打込みスラブ型枠に設けた連結部の溝に、複体型枠支持部材の曲げ加工部分を差込みつつ、無垢の木の化粧打込みスラブ型枠を連結敷設して、スラブ配筋を完了させた後に、複体型枠支持部材の上部の曲げ加工部分に複数の防振束を固定して、該防振束に根太を取付けてコンクリートを打設して、該コンクリートの凝固によって、無垢の木の化粧打込みスラブ型枠の鉄筋コンクリートスラブを形成することを特徴とする請求項１〜３の何れか１項に記載のスラブ内の型枠支持部材（請求項４）を提供する。
【発明の効果】
【００１５】
本発明の特筆すべき大きな効果を列挙する。
イ）打込み型枠と型枠支持部材を組固定することで型枠支持ポストが不要。
ロ）打込み型枠と型枠支持部材を組固定することでスラブ鉄筋量の大幅削減。
ハ）打込み型枠と型枠支持部材を組固定することでスラブ配筋組の乱れ防止。
二）打込み型枠と型枠支持部材を組固定することで仮設資材・運搬費の削減。
ホ）打込み型枠と型枠支持部材を組固定することで施工の容易性と工期短縮。
へ）打込み型枠と型枠支持部材を組固定することで迅速安全で容易な施工性。
ト）打込み型枠と型枠支持部材を組固定することで複数階の同日打設が可能。
【００１６】
以上で説明したように、請求項１に係る発明によれば、鉄筋コンクリート構築物を形成する無垢の木の化粧打込み壁型枠や鉄骨梁等の上に、鉄筋コンクリートスラブを形成する連結部両側面に溝加工して成る無垢の木の化粧打込みスラブ型枠に於いて、該無垢の木の化粧打込みスラブ型枠に設けた連結部の溝に、多目的に利用する打抜き穴を設けた鋼板の上下を曲げ加工して成る単体型枠支持部材、該単体型枠支持部材を２枚合わせて固定した複体型枠支持部材の曲げ加工部分を差込みつつ、無垢の木の化粧打込みスラブ型枠を連結敷設して、スラブ配筋を完了させた後に、コンクリートを打設して、該コンクリートの凝固によって、無垢の木の化粧打込みスラブ型枠の鉄筋コンクリートスラブを形成することで、多能工でも迅速且つ安全で容易に施工ができる大きな効果が得られる。
【００１７】
請求項２に係る発明によれば、鉄筋コンクリート構築物を形成する無垢の木の化粧打込み壁型枠の上に、鉄筋コンクリートスラブを形成する連結部両側面に溝加工して成る無垢の木の化粧打込みスラブ型枠に於いて、該無垢の木の化粧打込みスラブ型枠に設けた連結部の溝に、前記複体型枠支持部材の曲げ加工部分を差込みつつ、無垢の木の化粧打込みスラブ型枠を連結敷設して、スラブ配筋を完了させた後に、コンクリートを打設して、該コンクリートの凝固によって、無垢の木の化粧打込みスラブ型枠の鉄筋コンクリートスラブを形成することで、無垢の木の化粧天井が容易に得られる効果は大きい。
【００１８】
請求項３に係る発明によれば、無垢の木の化粧打込みスラブ型枠に設けた連結部の溝に、複体型枠支持部材の曲げ加工部分を差込みつつ、連結敷設した複数の打込み型枠の連結固定を、複体型枠支持部材に設けている打抜き穴の型枠固定部分の形状を若干狭く絞った打抜き部分に連結鉄筋を圧挿入して連結固定することで、荷揚機で吊上げて固定をするなどの作業効率を高める効果と高度な技能を必要とすることなく多能工が迅速に施工できる効果が得られる。
【００１９】
請求項４に係る発明によれば、鉄筋コンクリート構築物を形成する無垢の木の化粧打込み壁型枠の上に、鉄筋コンクリートスラブを形成する連結部両側面に溝加工して成る無垢の木の化粧打込みスラブ型枠に於いて、該無垢の木の化粧打込みスラブ型枠に設けた連結部の溝に、複体型枠支持部材の曲げ加工部分を差込みつつ、無垢の木の化粧打込みスラブ型枠を連結敷設して、スラブ配筋を完了させた後に、複体型枠支持部材の上部の曲げ加工部分に複数の防振束を固定して、該防振束に根太を取付けてコンクリートを打設して、該コンクリートの凝固によって、無垢の木の化粧打込みスラブ型枠の鉄筋コンクリートスラブを形成することで、複体型枠支持部材の強度の増強、さらに、作業効率を高める効果が得られる。
【発明を実施するための最良の形態】
【００２０】
以下に、本発明の実施形態は添付図面を参照しつつ詳細に説明する。
【００２１】
図１は、本発明に係る壁式鉄筋コンクリート造の無垢の木の化粧打込みスラブ型枠と支持部材を示した縦横断面詳細図。
図２は、鉄筋コンクリート造の無垢の木の化粧打込みスラブ型枠と支持部材を示した縦横断面詳細図。
図３は、鉄筋コンクリート造の鋼板の打込みスラブ型枠と支持部材を示した縦横断面詳細図。
図4は、図１のA部の拡大図。
図5は、図１のＢ部の拡大図。
図6は、図３のＣ部の拡大図。
図7は、型枠支持部材の打抜き孔の部分原寸図。
図8は、複体型枠支持部材の原寸図。
【００２２】
本実施形態の図面について説明すれば、図１は、本件発明者の特許第5315498号（無垢の木の化粧打込み型枠の型枠組工法）の型枠支持金物１４で組固定された、無垢の木の化粧打込み壁型枠１に無垢の木の廻縁１２を固定した上に、40ｍｍ厚の無垢の木の化粧打込みスラブ型枠８に図７，８に示した複体型枠支持部材５や連結鉄筋１１を用いて、スラブ厚150ｍｍのスラブの型枠組をして、全てのスラブの型枠組を終えて、スラブ配筋６を完了させた後に、複体型枠支持部材５の上部の曲げ加工部分に複数の防振束２１を固定して、該防振束２１に根太１６を取付けて、コンクリート７を打設した状態を示した、壁式鉄筋コンクリート造の無垢の木の化粧打込みスラブ型枠と支持部材を示した縦横断面詳細図である。尚、図中には壁躯体の配筋１４やスラブの上に構成される床を記載している。
【００２３】
図２は、鉄筋コンクリート造でベニヤ型枠をセパレーターで補助桟・鋼管・支持金具等を用いて型枠組をする在来工法の型枠組９の上に、40ｍｍ厚の無垢の木の化粧打込みスラブ型枠８に図７，８に示した複体型枠支持部材５や連結鉄筋１１を用いて、スラブ厚150ｍｍのスラブの型枠組をして、スラブ配筋６を完了させた後に、コンクリート７を打設した状態を示した、鉄筋コンクリート造の無垢の木の化粧打込みスラブ型枠と支持部材を示した縦横断面詳細図である。尚、図中には躯体の配筋１４や支持鋼管ポスト１８、さらに、スラブの上に構成される床の大引１５・根太１６・床板１７を記載している。
【００２４】
図３は、鉄筋コンクリート造でベニヤ型枠をセパレーターで補助桟・鋼管・支持金具等を用いて型枠組をする在来工法の型枠組９の上に、鋼板の連結部両側を曲げ溝加工した鋼板の打込みスラブ型枠１０に図７，８に示した複体型枠支持部材５や連結鉄筋１１を用いて、スラブ厚150ｍｍのスラブの型枠組をして、スラブ配筋６を完了させた後に、コンクリート７を打設した状態を示した、本発明の複体型枠支持部材５が、鋼板の打込みスラブ型枠１０であっても利用することが可能であることを示した参考図、鉄筋コンクリート構造の鋼板の打込みスラブ型枠と支持部材を示した縦横断面詳細図である。尚、図中には躯体の配筋１４や支持鋼管ポスト１８を記載している。
【００２５】
図４は、本件発明者の特許第5315498号（無垢の木の化粧打込み型枠の型枠組工法）の型枠支持金物１３で組固定された、無垢の木の化粧打込み壁型枠１に無垢の木の廻縁１２を固定した上に、40ｍｍ厚の無垢の木の化粧打込みスラブ型枠８に図７，８に示した複体型枠支持部材５や連結鉄筋１１を用いて、スラブ厚150ｍｍのスラブの型枠組をして、スラブ配筋６を完了させた後に、複体型枠支持部材５の上部の曲げ加工部分に複数の防振束２１を固定して、該防振束２１に根太１６を取付けて、コンクリート７を打設した状態を示した、図１のA部の拡大図である。
【００２６】
図５は、本件発明者の特許第5315498号（無垢の木の化粧打込み型枠の型枠組工法）の型枠支持金物１３で組固定された、無垢の木の化粧打込み壁型枠１に無垢の木の廻縁１２を固定した上に、40ｍｍ厚の無垢の木の化粧打込みスラブ型枠８に図７，８に示した複体型枠支持部材５や連結鉄筋１１を用いて、スラブ厚150ｍｍのスラブの型枠組をして、スラブ配筋６を完了させた後に、複体型枠支持部材５の上部の曲げ加工部分に複数の防振束２１を固定して、該防振束２１に根太１６を取付けて、コンクリート７を打設した状態を示した、図１のＢ部の拡大図である。
【００２７】
図６は、鉄筋コンクリート造でベニヤ型枠をセパレーターで補助桟・鋼管・支持金具等を用いて型枠組をする在来工法の型枠組９の上に、鋼板の連結部両側を曲げ溝加工した鋼板の打込みスラブ型枠１０に図７，８に示した複体型枠支持部材５や連結鉄筋１１を用いて、スラブ厚150ｍｍのスラブの型枠組をして、スラブ配筋６を完了させた後に、コンクリート７を打設した状態を示した、図３のＣ部の拡大図である。
【００２８】
図７は、40ｍｍ厚の無垢の木の化粧打込みスラブ型枠８に複体型枠支持部材５や連結鉄筋１１を用いて、スラブ厚150ｍｍのスラブの型枠組をして、スラブ配筋６を完了させた後に、コンクリート７を打設した状態を示した型枠支持部材の打抜き孔の部分原寸図である。
【００２９】
図８は、複体型枠支持部材の原寸図である。
【００３０】
以上、図面について説明したが、本発明は、従来のように大量の仮設材・組み手間・養生工期・解体・運搬・手入れ・保管等を必要としない、さらに、高度な技能を必要とすることなく多能工でも迅速且つ安全で容易に、無垢の木の化粧打込みスラブ型枠８の型枠組ができることを目的としたものである。
【００３１】
さらに、本発明で使用する複体型枠支持部材５は鋼板製であることから、図８に示した複体型枠支持部材５の下弦に結露防止部材２０を設けている。
【実施例１】
【００３２】
図１を参照に、本件発明者の特許第5315498号（無垢の木の化粧打込み型枠の型枠組工法）のコンクリート壁躯体を形成する40ｍｍ厚の無垢の木の化粧打込み壁型枠１に無垢の木の廻縁１２を介在した上に、150ｍｍ厚の鉄筋コンクリートスラブＡを形成する40ｍｍ厚の無垢の木の化粧打込みスラブ型枠８を載置固定して、該無垢の木の化粧打込みスラブ型枠８に設けた連結部の溝２に、複体型枠支持部材５の曲げ加工部分を差込みつつ、無垢の木の化粧打込みスラブ型枠８を連結敷設して、複体型枠支持部材５に設けている打抜き穴３の型枠固定部分の形状を若干狭く絞った打抜き部分に連結鉄筋１１を圧挿入して連結固定をして、全てのスラブの型枠組を終えて、スラブ配筋６を完了させた後に、コンクリート７を打設して鉄筋コンクリート躯体を構築する。このことにより地盤面で複数の無垢の木の化粧打込みスラブ型枠８を組み固定して、荷揚機で吊上げて載置固定をするなどの作業効率を高めることが可能となり、高度な技能を必要とすることなく多能工が迅速且つ安全で容易に施工ができる。さらに、スラブの鉄筋量の削減や大量の仮設材・組み手間・養生工期・解体・運搬・手入れ・保管等が不要となる。
【実施例２】
【００３３】
図２を参照に、鉄筋コンクリート躯体を形成する在来工法の型枠組９や鉄骨梁等の上に、
150ｍｍ厚の鉄筋コンクリートスラブＡを形成する40ｍｍ厚の無垢の木の化粧打込みスラブ型枠８を載置固定して、該無垢の木の化粧打込みスラブ型枠８に設けた連結部の溝２に、複体型枠支持部材５の曲げ加工部分を差込みつつ、無垢の木の化粧打込みスラブ型枠８を連結敷設して、複体型枠支持部材５に設けている打抜き穴３の型枠固定部分の形状を若干狭く絞った打抜き部分に連結鉄筋１１を圧挿入して連結固定をして、全てのスラブの型枠組を終えて、スラブ配筋６を完了させた後に、コンクリート７を打設して鉄筋コンクリート躯体を構築する。このことにより地盤面で複数の無垢の木の化粧打込みスラブ型枠８を組み固定して、荷揚機で吊上げて載置固定をするなどの作業効率を高めることが可能となり、高度な技能を必要とすることなく多能工が迅速且つ安全で容易に施工ができる。さらに、スラブの鉄筋量の削減や大量の仮設材・組み手間・養生工期・解体・運搬・手入れ・保管等が不要となる。
【実施例３】
【００３４】
図３を参照に、鉄筋コンクリート躯体を形成する在来工法の型枠組９や鉄骨梁等の上に、150ｍｍ厚の鉄筋コンクリートスラブＡを形成する鋼板の連結部両側を溝加工して成る鋼板の打込みスラブ型枠１０、該鋼板の打込みスラブ型枠１０に設けた連結部の溝２に、複体型枠支持部材５の曲げ加工部分を差込みつつ、鋼板の打込みスラブ型枠１０を連結敷設して、複体型枠支持部材５に設けている打抜き穴３の型枠固定部分の形状を若干狭く絞った打抜き部分に連結鉄筋１１を圧挿入して連結固定をして、全てのスラブの型枠組を終えて、スラブ配筋６を完了させた後に、コンクリート７を打設して鉄筋コンクリート躯体を構築する。このことにより地盤面で複数の鋼板の打込みスラブ型枠１０を組み固定して、荷揚機で吊上げて載置固定をするなどの作業効率を高めることが可能となり、高度な技能を必要とすることなく多能工が迅速且つ安全で容易に施工ができる。さらに、スラブの鉄筋量の削減や大量の仮設材・組み手間・養生工期・解体・運搬・手入れ・保管等が不要となる。
【実施例４】
【００３５】
無垢の木の化粧打込みスラブ型枠８を連結する複体型枠支持部材５を主に説明をすれば、材質を鋼板として、該鋼板の中部に鋼板とコンクリートの一体化・配筋スペース・連結など多目的に利用ができる複数の打抜き穴３を設けた鋼板の上下を曲げ加工して成る単体型枠支持部材４、該単体型枠支持部材４を２枚合わせて固定して成る複体型枠支持部材５、該複体型枠支持部材５はスラブの広さによって、鋼板の板厚を変えることでスラブ荷重に対応させることができる。また、単体型枠支持部材４についても同様とする。さらに、複体型枠支持部材５の下弦に結露防止部材２０を用いて結露を防止する。
【００３６】
図１を参照に、本件発明者の特許第5315498号（無垢の木の化粧打込み型枠の型枠組工法）のコンクリート壁躯体を形成する40ｍｍ厚の無垢の木の化粧打込み壁型枠１に無垢の木の廻縁１２を介在した上に、150ｍｍ厚の鉄筋コンクリートスラブＡを形成する40ｍｍ厚の無垢の木の化粧打込みスラブ型枠８を載置固定して、該無垢の木の化粧打込みスラブ型枠８に設けた連結部の溝２に、複体型枠支持部材５の曲げ加工部分を差込みつつ、無垢の木の化粧打込みスラブ型枠８を連結敷設して、複体型枠支持部材５に設けている打抜き穴３の型枠固定部分の形状を若干狭く絞った打抜き部分に連結鉄筋１１を圧挿入して連結固定をして、全てのスラブの型枠組を終えて、スラブ配筋６を完了させた後に、複体型枠支持部材５の上部の曲げ加工部分に複数の防振束２１を固定して、該防振束２１に根太１６を取付けて、コンクリート７を打設して鉄筋コンクリート躯体を構築する。このことにより複体型枠支持部材５と防振束２１を介した根太１６が一体となり、複体型枠支持部材５の強度を高めて、広い面積のコンクリートスラブを支えることを可能にする。さらに、多層階のコンクリート打設を可能にするとともに継続作業をも可能にする。
【００３７】
なお、この発明において、実施例や図面に示した寸法や各部材は、一例を示したものであり、同様の機能を果たす公知の他の寸法部材に置き換えることは可能である。例えば鋼板の型枠支持部材についても強度が得られるものであれば発明を支障なく実施することができる。
【産業上の利用可能性】
【００３８】
現在、構築されている鉄骨・鉄筋コンクリート構築物等に於ける、鉄筋コンクリートスラブを構築する場合は解体を目的とした工法が大半で、スラブ型枠を仮設梁や鋼管支持ポストで支える工法の大量の仮設材が使用されているのが現状である。本発明の打込みスラブ型枠・スラブ配筋・スラブコンクリートを一体としてスラブ自重を支える、スラブ厚さを利用した型枠支持部材の開発によって、高度な技能を必要とすることなく多能工でも迅速且つ安全な施工が容易にできる。さらに、スラブの鉄筋量の削減や大量の仮設材・組み手間・養生工期・解体・運搬・手入れ・保管等が不要となる。今後は、本発明が鉄筋コンクリートの構築工法を大きく変える可能性があり建設業界に極めて大きく貢献ができる。
【図面の簡単な説明】
【００３９】
【図１】本発明に係る壁式鉄筋コンクリート構造の無垢の木の化粧打込みスラブ型枠と支持部材を示した縦横断面詳細図。
【図２】鉄筋コンクリート構造の無垢の木の化粧打込みスラブ型枠と支持部材を示した縦横断面詳細図。
【図３】鉄筋コンクリート構造の鋼板の打込みスラブ型枠と支持部材を示した縦横断面詳細図。
【図４】図１のA部の拡大図。
【図５】図１のＢ部の拡大図。
【図６】図３のＣ部の拡大図。
【図７】型枠支持部材の打抜き孔の部分原寸図。
【図８】複体型枠支持部材の原寸図。
【符号の説明】
【００４０】
1.  無垢の木の化粧打込み壁型枠
2.  連結部の溝
3.  打抜き孔
4.  単体型枠支持部材
5.  複体型枠支持部材
6.  スラブ配筋
7.  コンクリート
8.  無垢の木の化粧打込みスラブ型枠
9.  在来工法の型枠組
10.  鋼板の打込みスラブ型枠
11.  連結鉄筋
12.  無垢の木の廻縁
13.  型枠支持金物
14.  配筋
15.  大引
16.  根太
17.  床板
18.  支持鋼管ポスト
19.  ビス
20.  結露防止部材
21.  防振束
Ａ  鉄筋コンクリートスラブ
イ  複体型枠支持部材側面
ロ  複体型枠支持部材断面
【要約】
【課題】本発明は、鉄筋コンクリートスラブの型枠を構築する鋼管ポスト等の仮設材を必要としないスラブ内の型枠支持部材を提供する。
【解決手段】躯体の型枠組や鉄骨梁等の上に、鉄筋コンクリートスラブＡを形成する、無垢の木の化粧打込みスラブ型枠８を載置固定して、該無垢の木の化粧打込みスラブ型枠８に設けた連結部の溝２に、複体型枠支持部材５の曲げ加工部分を差込みつつ、無垢の木の化粧打込みスラブ型枠８を連結敷設して、複体型枠支持部材５に設けている打抜き穴３の型枠固定部分の形状を若干狭く絞った打抜き部分に連結鉄筋１１を圧挿入して連結固定をして全てのスラブの型枠組を終えて、スラブ配筋６を完了させた後に、コンクリート７を打設して鉄筋コンクリート躯体を構築するスラブ内の型枠支持部材。
【選択図】  図1【図１】
0005532468.tif 000002
【図２】
0005532468.tif 000003
【図３】
0005532468.tif 000004
【図４】
0005532468.tif 000005
【図５】
0005532468.tif 000006
【図６】
0005532468.tif 000007
【図７】
0005532468.tif 000008
【図８】
0005532468.tif 000009